(57)【要約】【課題】  天井直付け型照明器具を安全、確実且つ容易に取り付けることができる取付け装置を提供する。【解決手段】  係止部材１３を突出状態にして天井直付け型照明器具を係止するために、摘み１８の回転操作を行うと、天井直付け型照明器具が係止部材１３で係止されるのみならず、係止部材１３がロック部材によって自動的にロック状態にされる。このため、天井直付け型照明器具の取付け完了後に係止部材１３をロック状態にすることを操作者が失念することがない。また、係止部材１３をロック状態にすることはロック部材が自動的に行うので、天井直付け型照明器具の取付け及び取外しを摘み１８の操作のみで行うことができる。【選択図】  図１
2005353405.tif 000002
【特許請求の範囲】
【請求項１】
天井直付け型照明器具が側面の周囲に外挿される筐体と、
前記側面に対する没入状態と突出状態との間を移行可能であり、前記没入状態で前記外挿を可能にし、前記外挿状態の前記天井直付け型照明器具を前記突出状態で係止する係止部材と、
前記没入状態から前記突出状態への前記係止部材の移行の完了に伴って自動的に、前記係止部材を前記突出状態から前記没入状態への移行が不能なロック状態にするロック部材と、
押圧操作によって前記ロック部材による前記ロック状態を解除し、回転操作によって前記没入状態と前記突出状態との間の移行を前記係止部材に行わせる操作部材と
を具備する天井直付け型照明器具の取付け装置。
【請求項２】
前記操作部材が、前記筐体の底面の外面に設けられており、前記底面に対向している盤状部とこの盤状部の中心部を通る直線上で前記底面とは反対の方向へ突出している壁状部とを有している請求項１に記載の天井直付け型照明器具の取付け装置。
【発明の詳細な説明】
【技術分野】
【０００１】
本発明は、天井に設けられている引掛シーリングに天井直付け型照明器具を直接に取り付けることができる天井直付け型照明器具の取付け装置に関するものである。
【背景技術】
【０００２】
特開２０００−０３０５２３号公報には、天井直付け型照明器具の取付け装置の第一従来形態が記載されている。この第一従来形態では、略円柱形の取付け装置の直径部分に一対の係止部材が配置されており、これら一対の係止部材の互いに反対側の先端部が係止爪になっている。一対の係止部材は夫々移動可能であり、夫々を互いに反対の方向へ付勢する付勢ばねがこれら一対の係止部材間に設置されている。係止爪に外力が印加されていない状態では、付勢ばねによる付勢力で一対の係止部材が互いに離隔しており、夫々の係止爪が取付け装置の側面から突出している。しかし、取付け装置の軸心へ向かう外力が係止爪に印加されると、付勢ばねによる付勢力に抗して一対の係止部材が互いに接近して、夫々の係止爪が取付け装置の側面から没入する。
【０００３】
この第一従来形態の取付け装置で天井直付け型照明器具を引掛シーリングに取り付けるには、この取付け装置を引掛シーリングに取り付けておき、照明器具の天面側中央部に設けられている円形開孔を床側から天井へ向けて取付け装置に外挿する。照明器具の円形開孔の内周縁部が取付け装置の係止爪に当接すると、取付け装置の軸心へ向かう外力が円形開孔の内周縁部から係止爪に印加される。このため、付勢ばねによる付勢力に抗して係止爪が取付け装置の側面から没入し、円形開孔の内周縁部が係止爪を乗り越えて天井に接近する。円形開孔の内周縁部が係止爪を乗り越えると、付勢ばねによる付勢力で係止爪が取付け装置の側面から再び突出するので、この突出した係止爪に円形開孔の内周縁部近傍が係止されて、照明器具が引掛シーリングに取り付けられる。
【特許文献１】特開２０００−０３０５２３号公報
【０００４】
特開２００２−１４０９２２号公報には、天井直付け型照明器具の取付け装置の第二従来形態が記載されている。この第二従来形態の取付け装置には、一対の係止部材及び付勢ばねの他に、互いに離隔している一対の係止部材間に対して操作片の操作によって進入及び退避可能なロック部材も備えられている。この第二従来形態の取付け装置で天井直付け型照明器具を引掛シーリングに取り付けるには、互いに離隔している一対の係止部材間からロック部材が退避していて一対の係止部材が互いに接近可能な状態で、第一従来形態の取付け装置と同様にして照明器具を引掛シーリングに取り付ける。
【０００５】
取付け装置による照明器具の取付けが完了すると、ロック部材の操作片を操作して、互いに離隔している一対の係止部材間にロック部材を進入させ、一対の係止部材が互いに接近しようとしてもこれら一対の係止部材がロック部材に当接して互いに接近することができないロック状態にしておく。このロック状態では、取付け装置の軸心へ向かう外力が係止爪に印加されても、一対の係止部材がロック部材に両側から当接して互いに接近することができない。従って、係止爪が取付け装置の側面から没入せず、取付け装置による照明器具の取付け状態が維持される。
【特許文献２】特開２００２−１４０９２２号公報
【発明の開示】
【発明が解決しようとする課題】
【０００６】
ところが、上述の第一従来形態の取付け装置では、照明器具の取付け完了後や取外し時等に、取付け装置の軸心へ向かう外力が係止爪に不測に印加されると、その係止爪が取付け装置の側面から没入し、取付け装置による照明器具の取付け状態が解除されて、照明器具が取付け装置から不測に落下する。一方、上述の第二従来形態の取付け装置では、ロック部材が備えられているので、照明器具の取付け完了後にロック部材の操作片を操作して係止部材をロック状態にしておけば、取付け装置による照明器具の取付け状態が維持されて、照明器具が取付け装置から不測に落下することはない。
【０００７】
しかし、この第二従来形態の取付け装置でも、照明器具の取付け完了後にロック部材の操作片を操作して係止部材をロック状態にしておくことを操作者が失念すれば、第一従来形態の取付け装置と同様に照明器具が取付け装置から不測に落下することがある。従って、本発明は、天井に設けられている引掛シーリングに天井直付け型照明器具を安全、確実且つ容易に取り付けることができる取付け装置を提供することを目的としている。
【課題を解決するための手段】
【０００８】
請求項１に係る天井直付け型照明器具の取付け装置では、操作部材の回転操作によって筐体の側面に対する没入状態と突出状態との間で係止部材を移行させ、没入状態から突出状態への係止部材の移行の完了に伴ってロック部材が自動的に係止部材を突出状態から没入状態への移行の不能なロック状態にする。このため、係止部材を突出状態にして筐体の側面に対して外挿状態にある天井直付け型照明器具を係止部材で係止するために、操作部材の回転操作を行うと、天井直付け型照明器具が係止部材で係止されるのみならず、係止部材がロック部材によって自動的にロック状態にされる。従って、天井直付け型照明器具の取付け完了後に係止部材をロック状態にすることを操作者が失念することがない。
【０００９】
また、操作部材の押圧操作によってロック部材によるロック状態が解除されるが、この押圧操作のみによっては係止部材が筐体の側面に対する没入状態と突出状態との間を移行せず、係止部材が突出状態から没入状態へ移行しない。係止部材が筐体の側面から突出していて天井直付け型照明器具を係止している状態から、天井直付け型照明器具を取り外すために筐体の側面に対する没入状態へ係止部材を移行させるためには、押圧操作に引き続いて回転操作が必要である。しかし、押圧操作と回転操作とでは操作部材に外力を印加する方向が全く異なっている。従って、押圧操作に引き続いて回転操作を行わせる外力が操作部材に不測に印加されることは現実には考えられず、ロック部材によるロック状態の解除と筐体の側面に対する突出状態から没入状態への係止部材の移行とが不測に引き続いて行われて天井直付け型照明器具が不測に落下することは現実には考えられない。
【００１０】
また、ロック部材によるロック状態を解除することと、筐体の側面に対する没入状態と突出状態との間で係止部材を移行させることとの両方を、操作部材による押圧操作と回転操作とで行うことができ、係止部材をロック状態にすることはロック部材が自動的に行う。従って、天井直付け型照明器具の取付け及び取外しを操作部材の操作のみで行うことができる。
【００１１】
請求項２に係る天井直付け型照明器具の取付け装置では、筐体の底面の外面に操作部材が配置されているので、天井に設けられている引掛シーリングに取付け装置が取り付けられている状態でも操作部材を床側から容易に視認及び操作することができる。しかも、筐体の底面に対向している盤状部とこの盤状部の中心部を通る直線上で筐体の底面とは反対の方向へ突出している壁状部とを操作部材が有しているので、一般的には親指と人指し指とで壁状部を摘むことによって、これらの親指と人指し指とを盤状部にも当接させることができる。このため、盤状部を押圧する操作と壁状部を回転させる操作とを引き続いて行うことができて、操作部材の押圧操作と回転操作との両方の操作を容易に行うことができる。
【発明の効果】
【００１２】
請求項１に係る天井直付け型照明器具の取付け装置では、天井直付け型照明器具の取付け完了後に係止部材をロック状態にしておくことを操作者が失念することがなく、しかも、ロック部材によるロック状態の解除と筐体の側面に対する突出状態から没入状態への係止部材の移行とが不測に引き続いて行われて天井直付け型照明器具が不測に落下することは現実には考えられないので、天井に設けられている引掛シーリングに天井直付け型照明器具を安全且つ確実に取り付けることができる。また、天井直付け型照明器具の取付け及び取外しを操作部材の操作のみで行うことができるので、天井直付け型照明器具を容易に取り付けることができる。
【００１３】
請求項２に係る天井直付け型照明器具の取付け装置では、天井に設けられている引掛シーリングに取付け装置が取り付けられている状態でも操作部材を床側から容易に視認及び操作することができ、しかも、操作部材の押圧操作と回転操作との両方の操作を容易に行うことができるので、天井直付け型照明器具を更に容易に取り付けることができる。
【発明を実施するための最良の形態】
【００１４】
以下、本発明の一実施形態を、図１〜１１を参照しながら説明する。図１〜７が、本実施形態の取付け装置における主要部を示している。この取付け装置１１の略円柱形の筐体１２内に、一対の係止部材１３、係合部材１４、連結部材１５、及び嵌合部材１６が配置されており、筐体１２外に、圧縮コイルばね１７及び摘み１８が配置されている。筐体１２は、本体２１とこの本体にビス（図示せず）で固定されている底板２２とを有している。本体２１の直径部にはトンネル部２３が設けられており、底板２２によってトンネル部２３の底面が閉塞され、筐体１２の側面２４におけるトンネル部２３の終端が開口部２５になっている。トンネル部２３と底板２２とによって、筐体１２の直径方向へ係止部材１３を案内する案内部が形成されている。
【００１５】
係止部材１３には上下二段の係止爪２６が設けられており、筐体１２内への係止部材１３の後退及び筐体１２外への係止部材１３の前進に伴って係止爪２６が開口部２５から没入及び突出する。係合部材１４の平面形状は楕円形であり、この楕円形の長軸と短軸との間の略９０°の楕円弧に沿って延びる一対の長孔２７が係合部材１４に設けられている。係止部材１３の底板２２側の面にはピン２８が設けられており、これらのピン２８が係合部材１４の長孔２７内に挿通されている。係合部材１４の中心部に孔３１が設けられており、この孔３１の両側にも一対の孔３２が設けられている。連結部材１５では長方形の板部３３、円柱部３４及び四角柱部３５が一体になっており、これらを貫通する孔３６が連結部材１５に設けられている。板部３３における孔３６の両側には一対の突起部３７が設けられている。
【００１６】
嵌合部材１６の中心部に孔３８が設けられており、この孔３８の両側に一対のねじ孔４１が設けられている。嵌合部材１６の連結部材１５側の面には溝４２が設けられている。嵌合部材１６の圧縮コイルばね１７側の面における孔３８の周囲には円筒部４３が設けられており、円筒部４３の両側には一対の突起部４４が設けられている。摘み１８は、筐体１２の底板２２に対向している盤状部４５と、この盤状部４５の中心部を通る直線上で筐体１２の底板２２とは反対の方向へ突出している壁状部４６とを有している。盤状部４５のうちで壁状部４６とは反対側の面に円筒部４７が設けられているが、この円筒部４７の軸心部における空洞部４８は四角柱状である。また、空洞部４８よりも断面積の小さい孔５１が空洞部４８に続いて設けられている。
【００１７】
筐体１２の底板２２には中心部における孔５２とその両側の一対の孔５３とが設けられており、これらの孔５２、５３に嵌合部材１６の円筒部４３及び突起部４４が夫々挿入されることによって底板２２に対する嵌合部材１６の角度位置が規制されている。底板２２を介して嵌合部材１６のねじ孔４１にビス（図示せず）が螺入されることによって嵌合部材１６が底板２２に固定されており、この固定状態では嵌合部材１６の円筒部４３が底板２２から僅かに突出している。連結部材１５の突起部３７が係合部材１４の孔３２内に挿入されることによって係合部材１４と連結部材１５との互いの角度位置が規制されており、円柱部３４が嵌合部材１６の孔３８内に挿通されている。
【００１８】
嵌合部材１６の孔３８から突出している連結部材１５の四角柱部３５が摘み１８の空洞部４８内に挿入されることによって連結部材１５と摘み１８との互いの角度位置が規制されており、底板２２の孔５２から突出している嵌合部材１６の円筒部４３と摘み１８の円筒部４７とに圧縮コイルばね１７の両端部が夫々外挿されている。この状態で、ビス５４が孔３１、孔３６、空洞部４８及び孔５１内に順次に挿通され、孔５１から突出しているビス５４の先端部がナット５５に螺入されることによって、係合部材１４、連結部材１５及び摘み１８が互いに固定されている。
【００１９】
また、図８、９に示されている様に、この取付け装置１１には一対の栓刃５６とロック爪５７とロック爪５７によるロックを解除するためのロック爪解除釦５８とが設けられており、照明器具用の電源コネクタ６１が栓刃５６に電気的に接続されている。そして、図１０、１１に示されている様に、引掛シーリング６２の一対の栓刃挿入口６３内に取付け装置１１の栓刃５６を差し込み、引掛シーリング６２に対して取付け装置１１を回転させてロック爪５７も一方の栓刃挿入口６３内に嵌め込むことによって、取付け装置１１が引掛シーリング６２に機械的に取り付けられると共に電気的に接続される。但し、取付け装置１１を引掛シーリング６２に取り付けるための機構は、公知であり本発明の要旨でもないので、詳細な説明は省略する。
【００２０】
図１０に示されている様に引掛シーリング６２に取り付けられている状態の取付け装置１１に照明器具を取り付ける場合において、図３、４に示されている様に係止部材１３の係止爪２６が筐体１２の開口部２５から没入しているときは、そのまま、照明器具の天面側中央部に設けられている円形開孔６４を筐体１２の側面２４の周囲に床側から天井へ向けて外挿し、上下二段の係止爪２６同士の中間かまたは上段の係止爪２６よりも僅かに天井側に円形開孔６４の内周縁部６５を位置させる。そして、一方の手で照明器具を床側から支持しながら、摘み１８の壁状部４６を他方の手の親指と人指し指とで摘み、床側から見て摘み１８を右回転させる。
【００２１】
係止部材１３の係止爪２６が筐体１２の開口部２５から没入している状態では、図１に示されている様に連結部材１５の板部３３と嵌合部材１６の溝４２とが互いに直交していて板部３３が溝４２内に嵌まり込んでいないので、筐体１２の底板２２に固定されている嵌合部材１６に対して連結部材１５を回転させることができる。一方、上述の様に係合部材１４、連結部材１５及び摘み１８がビス５４及びナット５５で互いに固定されているので、これらの係合部材１４、連結部材１５及び摘み１８は一体的に回転する。このため、床側から見て摘み１８を右回転させると、係合部材１４及び連結部材１５も摘み１８と一体的に床側から見て右回転する。
【００２２】
係止部材１３の係止爪２６が筐体１２の開口部２５から没入している状態では、図１、３に示されている様に、トンネル部２３が延びている方向つまり係止部材１３が案内される方向と平面形状が楕円形である係合部材１４の短軸方向とが一致している。逆に言えば、トンネル部２３が延びている方向つまり係止部材１３が案内される方向と係合部材１４の短軸方向とが一致しているので、係合部材１４の長孔２７内に挿通されている係止部材１３のピン２８が係合部材１４の中心部である孔３１に最も接近しており、係止部材１３が筐体１２の軸心に最も接近していて、係止部材１３の係止爪２６が筐体１２の開口部２５から没入している。
【００２３】
この状態から連結部材１５及び摘み１８と一体的に係合部材１４を床側から見て右回転させると、長孔２７のうちで係合部材１４の短軸側における終端から長軸側における終端へ向かって、係止部材１３のピン２８が長孔２７内を相対的に移動する。この相対的な移動に伴ってピン２８が係合部材１４の中心部である孔３１から離隔していき、係止部材１３もトンネル部２３に案内されつつ筐体１２の軸心から離隔していって、係止部材１３の係止爪２６が筐体１２の開口部２５から突出していく。床側から見て摘み１８を９０°右回転させると、図５〜７に示されている様に、トンネル部２３が延びている方向と係合部材１４の長軸方向とが一致し、係止爪２６が開口部２５から最も突出して、開口部２５に対する没入状態から突出状態への係止部材１３の移行が完了する。この状態では、長孔２７のうちで係合部材１４の長軸側における終端にピン２８が当接しており、床側から見て摘み１８をそれ以上には右回転させることができない。
【００２４】
この時点で一方の手による照明器具の支持を停止しても、照明器具の内周縁部６５が係止部材１３の係止爪２６に係止されるので、照明器具は取付け装置１１から落下しない。床側から見て摘み１８を９０°右回転させて、トンネル部２３が延びている方向と係合部材１４の長軸方向とが一致すると、図２に示されている様に、連結部材１５の板部３３と嵌合部材１６の溝４２とが互いに平行になる。一方、圧縮コイルばね１７の弾性反発力によって、係合部材１４、連結部材１５及び摘み１８は床側へ付勢されている。このため、板部３３と溝４２とが互いに平行になると、ピン２８が長孔２７内に挿通されているままで、図６に示されている様に溝４２外に位置していた板部３３が、図７に示されている様に溝４２内に自動的に嵌まり込む。
【００２５】
嵌合部材１６は筐体１２の底板２２に固定されているので、板部３３が溝４２内に嵌まり込むと、連結部材１５は回転できない。このため、床側から見て左回転させる外力が摘み１８の壁状部４６に印加されても、連結部材１５に固定されている摘み１８は左回転しない。また、筐体１２の軸心へ向かう外力が係止爪２６に印加されても、連結部材１５が回転しないので、この連結部材１５に固定されている係合部材１４も回転しない。このため、係合部材１４の長孔２７内を係止部材１３のピン２８が相対的に移動できず、係止部材１３がトンネル部２３に案内されつつ筐体１２の軸心へ接近することができなくて、係止部材１３の係止爪２６も筐体１２の開口部２５内へ没入しない。つまり、係止爪２６が開口部２５から突出している状態から没入している状態へ係止部材１３を移行させることができず、係止部材１３はロック状態になっている。
【００２６】
取付け装置１１に取り付けられている照明器具を取付け装置１１から取り外す場合、または、取付け装置１１に照明器具を取り付ける場合において係止部材１３の係止爪２６が筐体１２の開口部２５から突出しているときは、摘み１８の壁状部４６を親指と人指し指とで摘み、まず、圧縮コイルばね１７による付勢に抗して摘み１８を天井側へ押圧する。この押圧によって、図７に示されている様に嵌合部材１６の溝４２内に嵌まり込んでいた連結部材１５の板部３３を、図６に示されている様に溝４２外へ抜け出させる。板部３３が溝４２外へ抜け出ると、係止部材１３のロック状態が解除されて、筐体１２の底板２２に固定されている嵌合部材１６に対して連結部材１５を回転させることができる。
【００２７】
圧縮コイルばね１７による付勢に抗して摘み１８を天井側へ押圧したまま、床側から見て摘み１８を左回転させることによって、係合部材１４及び連結部材１５も摘み１８と一体的に床側から見て左回転させる。係合部材１４を床側から見て左回転させると、長孔２７のうちで係合部材１４の長軸側における終端から短軸側における終端へ向かって、係止部材１３のピン２８が長孔２７内を相対的に移動する。この相対的な移動に伴ってピン２８が係合部材１４の中心部である孔３１へ接近していき、係止部材１３もトンネル部２３に案内されつつ筐体１２の軸心へ接近していって、係止部材１３の係止爪２６が筐体１２の開口部２５内へ没入していく。床側から見て摘み１８を９０°左回転させると、図３、４に示されている様に、トンネル部２３が延びている方向と係合部材１４の短軸方向とが一致して、係止爪２６が開口部２５内へ完全に没入する。
【００２８】
この状態では、長孔２７のうちで係合部材１４の短軸側における終端にピン２８が当接しており、床側から見て摘み１８をそれ以上には左回転させることができない。圧縮コイルばね１７による付勢に抗して摘み１８を天井側へ押圧したまま、床側から見て摘み１８を左回転させることによって、連結部材１５の板部３３と嵌合部材１６の溝４２とが互いに平行な状態から僅かな角度でも斜交すると、板部３３が溝４２内に嵌まり込まない。このため、天井側への摘み１８の押圧をその時点で解除しても、床側から見た摘み１８の左回転を続行することができる。係止爪２６が開口部２５内へ完全に没入すると、取付け装置１１に取り付けられている照明器具の円形開孔６４を筐体１２の側面２４の周囲から床側へ抜き出したり、照明器具の円形開孔６４を筐体１２の側面２４の周囲に床側から天井へ向けて外挿したりすることができる。
【００２９】
なお、天井に設けられて取付け装置１１を取り付けるための引掛シーリング６２は、露出型と埋込型との何れであってもよい。
【産業上の利用可能性】
【００３０】
本発明は、天井に直に取り付けられるために吊下げ型照明器具に比べて天井面からの出し代が小さくて部屋を広く見せる効果のある天井直付け型照明器具を、天井に設けられている引掛シーリングに直接に取り付けることができる、天井直付け型照明器具の取付け装置に利用することができる。
【図面の簡単な説明】
【００３１】
【図１】係止部材が筐体の側面に対して没入している状態にある本発明の一実施形態の斜め下方から見た分解斜視図である。
【図２】係止部材が筐体の側面に対して突出している状態にある本発明の一実施形態の斜め上方から見た分解斜視図である。
【図３】係止部材が筐体の側面に対して没入している状態にある本発明の一実施形態における要部の底面図である。
【図４】係止部材が筐体の側面に対して没入している状態にある本発明の一実施形態の側断面図である。
【図５】係止部材が筐体の側面に対して突出している状態にある本発明の一実施形態における要部の底面図である。
【図６】係止部材が筐体の側面に対して突出している状態にある本発明の一実施形態におけるロック状態直前の側断面図である。
【図７】係止部材が筐体の側面に対して突出している状態にある本発明の一実施形態におけるロック状態の側断面図である。
【図８】係止部材が筐体の側面に対して突出している状態にある本発明の一実施形態の側面図である。
【図９】係止部材が筐体の側面に対して突出している状態にある本発明の一実施形態の平面図である。
【図１０】引掛シーリングに取り付けられており係止部材が筐体の側面に対して突出している状態にある本発明の一実施形態の側面図である。
【図１１】本発明の一実施形態を取り付けることができる引掛シーリングの底面図である。
【符号の説明】
【００３２】
１１    取付け装置
１２    筐体
１３    係止部材
１５    連結部材（ロック部材）
１６    嵌合部材（ロック部材）
１７    圧縮コイルばね（ロック部材）
１８    摘み（操作部材）
２２    底板（底面）
２４    側面
４５    盤状部
４６    壁状部
【図１】
2005353405.tif 000003
【図２】
2005353405.tif 000004
【図３】
2005353405.tif 000005
【図４】
2005353405.tif 000006
【図５】
2005353405.tif 000007
【図６】
2005353405.tif 000008
【図７】
2005353405.tif 000009
【図８】
2005353405.tif 000010
【図９】
2005353405.tif 000011
【図１０】
2005353405.tif 000012
【図１１】
2005353405.tif 000013